(57)【要約】【課題】埋設アンカーの埋設位置等にずれが生じた場合でも、稲妻プレートや板状部材の掛かり代及び溶接固定される部位が十分に確保される。【解決手段】下層のＡＬＣ壁パネル１ｂの埋設アンカー８に溶接ベース金物１５が螺合し、溶接プレート部１６に、定規アングル１２と自重受け部材１８との間に掛入された板状部材２１が、位置調整されて溶接固定されている。また、上層のＡＬＣ壁パネル１ａの埋設アンカー８に溶接ベース金物１５が螺合し、自重受け部材１８にＡＬＣ壁パネル１ａが載置され、かつ、定規アングル１２に掛合された稲妻プレート２２が、溶接プレート部１６に対しパネル壁面に添う方向に位置調整されて溶接固定されている。【選択図】図７
2007247220.tif 000002
【特許請求の範囲】
【請求項１】
ＡＬＣ壁パネルに埋設された補強鉄筋に緊結された埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
前記溶接ベース金物と建物躯体との間を接続する複数の取付金具のうち前記溶接ベース金物に固定されるとともに他の取付金具に掛かる取付金具が、前記溶接プレート部に対し前記パネル壁面に添う方向に位置調整されて溶接固定されているＡＬＣ壁パネルの取付構造。
【請求項２】
ＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
水平の建物躯体に固定された自重受け部材に前記ＡＬＣ壁パネルの下端小口面が載置され、かつ、前記建物躯体に固定された定規アングルに掛合された取付金具が、前記溶接プレート部に対し前記パネル壁面に添う方向に位置調整されて溶接固定されているＡＬＣ壁パネルの取付構造。
【請求項３】
ＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
水平の建物躯体に固定された定規アングルと該定規アングルに固定された他部材との間に掛入された取付金具が、前記溶接プレート部に対し前記パネル壁面に添う方向に位置調整されて溶接固定されているＡＬＣ壁パネルの取付構造。
【請求項４】
ＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
水平の建物躯体に固定された定規アングルに掛合された取付金具が、前記溶接プレート部に対し前記パネル壁面に添う方向に位置調整されて溶接固定されているＡＬＣ壁パネルの取付構造。
【請求項５】
下層のＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記下層のＡＬＣ壁パネルのパネル壁面に添っており、
水平の建物躯体に固定された定規アングルと該定規アングルに固定された自重受け部材との間に掛入された下層用取付金具が、前記下層の溶接プレート部に対し前記下層のパネル壁面に添う方向に位置調整されて溶接固定されており、
上層のＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部が螺合して、該溶接プレート部が前記上層のＡＬＣ壁パネルのパネル壁面に添っており、
前記自重受け部材に前記上層のＡＬＣ壁パネルの下端小口面が載置され、かつ、前記定規アングルに掛合された上層用取付金具が、前記上層の前記溶接プレート部に対し前記上層のパネル壁面に添う方向に位置調整されて溶接固定されているＡＬＣ壁パネルの取付構造。
【請求項６】
下層のＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記下層のＡＬＣ壁パネルのパネル壁面に添っており、
水平の建物躯体に固定された下層用定規アングルに掛合された下層用取付金具が、前記下層の溶接プレート部に対し前記下層のパネル壁面に添う方向に位置調整されて溶接固定されており、
上層のＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部が螺合して、該溶接プレート部が前記上層のＡＬＣ壁パネルのパネル壁面に添っており、
前記建物躯体に固定された自重受け部材に前記上層のＡＬＣ壁パネルの下端小口面が載置され、かつ、前記建物躯体に固定された上層用定規アングルに掛合された上層用取付金具が、前記上層の溶接プレート部に対し前記上層のパネル壁面に添う方向に位置調整されて溶接固定されているＡＬＣ壁パネルの取付構造。
【請求項７】
ＡＬＣ壁パネルに埋設された補強鉄筋に緊結されたパネル側部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
垂直の建物躯体に固定された定規アングルに掛合された取付金具が、前記溶接プレート部に対し前記パネル壁面に添う方向に位置調整されて溶接固定されているＡＬＣ壁パネルの取付構造。
【請求項８】
前記溶接プレート部と前記埋め込み螺合部とが一体形成されている請求項１〜７のいずれか一項に記載のＡＬＣ壁パネルの取付構造。
【請求項９】
前記ＡＬＣ壁パネルのパネル壁面に設けられた座掘部に前記溶接プレート部が収納されて、前記溶接プレート部の溶接面と前記ＡＬＣ壁パネルのパネル壁面の一般部とが略同一面となっている請求項１〜８のいずれか一項に記載のＡＬＣ壁パネルの取付構造。
【発明の詳細な説明】
【技術分野】
【０００１】
本発明は、ＡＬＣ（軽量気泡コンクリート）壁パネルを建物躯体に取り付ける構造に関する。
【背景技術】
【０００２】
ＡＬＣ壁パネルを建物躯体に取り付ける構造として、特許文献１の図１０の構造が知られている。すなわち、本願図面の図１４に示すように、上層パネル１０４ａと下層パネル１０４ｂとを、稲妻プレート１２１、板状部材１０８及び自重受け部材１０９の３つに分かれた部材及び定規アングル１０３を用いて梁１１２に取付けられる構造である。上層パネル１０４ａは自重受け部材１０９に載せられるとともに、定規アングル１０３に掛止する稲妻プレート１２１を上層パネル１０４ａに埋設されたアンカー１１３にボルト１０６で止めて取り付けられる。下層パネル１０４ｂは、自重受け部材１０９と定規アングル１０３との間に掛入される板状部材１０８を、下層パネル１０４ｂに埋設されたアンカー１１３にボルト１０６で止めて取り付けられる。
【０００３】
この取付構造は、アンカー１１３の埋設位置や上層パネル１０４ａ又は下層パネル１０４ｂの取付位置に正規位置からのずれ、例えば６ｍｍ未満のずれがあっても、容易にＡＬＣ壁パネル１０４を梁１１２に固定することができる。すなわち稲妻プレート１２１あるいは自重受け部材１０９の相対的な取付位置を調整したり、自重受け部材１０９とそれに挿入される板状部材１０８との隙間のなかで板状部材１０８を幅方向に移動させて固定したりして、パネル取付時にアンカー１１３位置と前記三部材１０８、１０９、１２１との位置合わせが容易である。
【特許文献１】特開２０００−７３４８１号公報
【発明の開示】
【発明が解決しようとする課題】
【０００４】
しかし、アンカー１１３の埋設位置は、上記の取付構造では対応できない位に大きくずれることがある。すなわち、アンカー１１３は、引き抜き等に対する強度を高めるために、各パネル１０４ａ，１０４ｂに同じく埋設された補強鉄筋（図示略）に対して溶接や係合により緊結されている。この補強鉄筋は、パネル製造時のスラリーの流動により遊動するため、それに緊結されたアンカー１１３の埋設位置が正規位置から例えば６ｍｍ以上ずれることがある。そして、そのずれがパネルの納まりとしては許容範囲であっても、そのずれが上層パネル１０４ａにおいて、図１５（ａ）の正規位置から（ｂ）に示すように上方向に生じると、上層パネル１０４ａ取付用の稲妻プレート１２１の下半部が定規アングル１０３の立設片に掛合する掛かり代ａが小さくなり、溶接固定される部位が小さくなることがあった。また、アンカー１１３の埋設位置のずれが６ｍｍ未満であっても、そのずれが上層パネル１０４ａの取付位置のずれと、同じ上方向に重なった場合には、上記と同様の問題となる。
【０００５】
また、上記アンカー１１３の埋設位置のずれが下層パネル１０４ｂにおいて、図１５（ａ）の正規位置から（ｂ）に示すように下方向に生じると、下層パネル１０４ｂ取付用の板状部材１０８が定規アングル１０３と自重受け部材１０９の横片の後縁との間より上に突出する掛かり代ｂが、小さくなることがあった。
【０００６】
そこで、本発明の課題は、埋設アンカーの埋設位置やＡＬＣ壁パネルの取付位置に正規位置からのずれが生じた場合でも、稲妻プレートや板状部材の掛かり代及び溶接固定される部位が十分に確保され、ＡＬＣ壁パネルを建物躯体に十分な強度で取り付けることができる取付構造を提供することにある。
【課題を解決するための手段】
【０００７】
（ａ１）ＡＬＣ壁パネル（各部）の取付構造
ＡＬＣ壁パネルに埋設された補強鉄筋に緊結された埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
前記溶接ベース金物と建物躯体との間を接続する複数の取付金具のうち前記溶接ベース金物に固定されるとともに他の取付金具に掛かる取付金具が、前記溶接プレート部に対し前記パネル壁面に添う方向に位置調整されて溶接固定されているＡＬＣ壁パネルの取付構造。
【０００８】
（ａ２）ＡＬＣ壁パネル（下部）の取付構造
ＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
水平の建物躯体に固定された自重受け部材に前記ＡＬＣ壁パネルの下端小口面が載置され、かつ、前記建物躯体に固定された定規アングルに掛合された取付金具が、前記溶接プレート部に対し前記パネル壁面に添う方向に位置調整されて溶接固定されているＡＬＣ壁パネルの取付構造。
【０００９】
（ａ３）ＡＬＣ壁パネル（上部）の取付構造−その１
ＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
水平の建物躯体に固定された定規アングルと該定規アングルに固定された他部材との間に掛入された取付金具が、前記溶接プレート部に対し前記パネル壁面に添う方向に位置調整されて溶接固定されているＡＬＣ壁パネルの取付構造。
【００１０】
（ａ４）ＡＬＣ壁パネル（上部）の取付構造−その２
ＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
水平の建物躯体に固定された定規アングルに掛合された取付金具が、前記溶接プレート部に対し前記パネル壁面に添う方向に位置調整されて溶接固定されているＡＬＣ壁パネルの取付構造。
【００１１】
（ａ５）ＡＬＣ壁パネル（上層下部と下層上部）の取付構造−その１
下層のＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記下層のＡＬＣ壁パネルのパネル壁面に添っており、
水平の建物躯体に固定された定規アングルと該定規アングルに固定された自重受け部材との間に掛入された下層用取付金具が、前記下層の溶接プレート部に対し前記下層のパネル壁面に添う方向に位置調整されて溶接固定されており、
上層のＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部が螺合して、該溶接プレート部が前記上層のＡＬＣ壁パネルのパネル壁面に添っており、
前記自重受け部材に前記上層のＡＬＣ壁パネルの下端小口面が載置され、かつ、前記定規アングルに掛合された上層用取付金具が、前記上層の前記溶接プレート部に対し前記上層のパネル壁面に添う方向に位置調整されて溶接固定されているＡＬＣ壁パネルの取付構造。
【００１２】
（ａ６）ＡＬＣ壁パネル（上層下部と下層上部）の取付構造−その２
下層のＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部が螺合して、該溶接プレート部が前記下層のＡＬＣ壁パネルのパネル壁面に添っており、
水平の建物躯体に固定された下層用定規アングルに掛合された下層用取付金具が、前記下層の溶接プレート部に対し前記下層のパネル壁面に添う方向に位置調整されて溶接固定されており、
上層のＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部が螺合して、該溶接プレート部が前記上層のＡＬＣ壁パネルのパネル壁面に添っており、
前記建物躯体に固定された自重受け部材に前記上層のＡＬＣ壁パネルの下端小口面が載置され、かつ、前記建物躯体に固定された上層用定規アングルに掛合された上層用取付金具が、前記上層の溶接プレート部に対し前記上層のパネル壁面に添う方向に位置調整されて溶接固定されているＡＬＣ壁パネルの取付構造。
【００１３】
（ａ７）ＡＬＣ壁パネル（側部）の取付構造
ＡＬＣ壁パネルに埋設された補強鉄筋に緊結されたパネル側部の埋設アンカーに、溶接プレート部とその裏面から突出する埋め込み螺合部とからなる溶接ベース金物の該埋め込み螺合部が螺合して、該溶接プレート部が前記ＡＬＣ壁パネルのパネル壁面に添っており、
垂直の建物躯体に固定された定規アングルに掛合された取付金具が、前記溶接プレート部に対し前記パネル壁面に添う方向に位置調整されて溶接固定されているＡＬＣ壁パネルの取付構造。
【００１４】
（ｂ１）ＡＬＣ壁パネル（各部）の取付方法
ＡＬＣ壁パネルに埋設された補強鉄筋に緊結された埋設アンカーに、溶接プレート部とその裏面から突出する埋め込み螺合部とからなる溶接ベース金物の該埋め込み螺合部を螺合して、該溶接プレート部を前記ＡＬＣ壁パネルのパネル壁面に添わせ、
前記溶接ベース金物と建物躯体との間を接続する複数の取付金具のうち前記溶接ベース金物に固定されるとともに他の取付金具に掛かる取付金具を、前記溶接プレート部に対し前記パネル壁面に添う方向に位置調整して溶接固定するＡＬＣ壁パネルの取付方法。
【００１５】
（ｂ２）ＡＬＣ壁パネル（下部）の取付方法
ＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部を螺合して、該溶接プレート部を前記ＡＬＣ壁パネルのパネル壁面に添わせ、
水平の建物躯体に固定された自重受け部材に前記ＡＬＣ壁パネルの下端小口面を載置し、かつ、前記建物躯体に固定した定規アングルに掛合させた前記取付金具を、前記溶接プレート部に対し前記パネル壁面に添う方向に位置調整して溶接固定するＡＬＣ壁パネルの取付方法。
【００１６】
（ｂ３）ＡＬＣ壁パネル（上部）の取付方法−その１
ＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部を螺合して、該溶接プレート部を前記ＡＬＣ壁パネルのパネル壁面に添わせ、
前記ＡＬＣ壁パネルを建て込み、水平の建物躯体に固定した定規アングルと該定規アングルに固定した他部材との間に掛入した取付金具を、前記溶接プレート部に対し前記パネル壁面に添う方向に位置調整して溶接固定するＡＬＣ壁パネルの取付方法。
【００１７】
（ｂ４）ＡＬＣ壁パネル（上部）の取付方法−その２
ＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部を螺合して、該溶接プレート部を前記ＡＬＣ壁パネルのパネル壁面に添わせ、
水平の建物躯体に固定した定規アングルに掛合させた取付金具を、前記溶接プレート部に対し前記パネル壁面に添う方向に位置調整して溶接固定するＡＬＣ壁パネルの取付方法。
【００１８】
（ｂ５）ＡＬＣ壁パネル（上層下部と下層上部）の取付方法−その１
下層のＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部を螺合して、該溶接プレート部を前記下層のＡＬＣ壁パネルのパネル壁面に添わせ、
前記下層のＡＬＣ壁パネルを建て込み、建物躯体に固定した定規アングルと該定規アングルに固定した自重受け部材との間に掛入した下層用取付金具を、前記溶接プレート部に対し前記下層のパネル壁面に添う方向に位置調整して溶接固定し、
上層のＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部を螺合して、該溶接プレート部を前記上層のＡＬＣ壁パネルのパネル壁面に添わせ、
前記自重受け部材に前記上層のＡＬＣ壁パネルの下端小口面を載置し、かつ、前記定規アングルに掛合させた上層用取付金具を、前記上層の前記溶接プレート部に対し前記下層のパネル壁面に添う方向に位置調整して溶接固定するＡＬＣ壁パネルの取付方法。
【００１９】
（ｂ６）ＡＬＣ壁パネル（上層下部と下層上部）の取付方法−その２
下層のＡＬＣ壁パネルに埋設された補強鉄筋に緊結されたパネル上部の埋設アンカーに、溶接プレート部とその裏面から突出する埋め込み螺合部とからなる溶接ベース金物の該埋め込み螺合部を螺合して、該溶接プレート部を前記下層のＡＬＣ壁パネルのパネル壁面に添わせ、
水平の建物躯体に固定された下層用定規アングルに掛合させた下層用取付金具を、前記下層の溶接プレート部に対し前記下層のパネル壁面に添う方向に位置調整して溶接固定し、
上層のＡＬＣ壁パネルに埋設された補強鉄筋に緊結されたパネル下部の埋設アンカーに、溶接プレート部とその裏面から突出する埋め込み螺合部とからなる溶接ベース金物の該埋め込み螺合部を螺合して、該溶接プレート部を前記上層のＡＬＣ壁パネルのパネル壁面に添わせ、
前記建物躯体に固定された自重受け部材に前記上層のＡＬＣ壁パネルの下端小口面を載置し、かつ、前記建物躯体に固定された上層用定規アングルに掛合させた上層用取付金具を、前記上層の溶接プレート部に対し前記上層のパネル壁面に添う方向に位置調整して溶接固定するＡＬＣ壁パネルの取付方法。
【００２０】
（ｂ７）ＡＬＣ壁パネル（側部）の取付方法
ＡＬＣ壁パネルに埋設された補強鉄筋に緊結されたパネル側部の埋設アンカーに、溶接プレート部とその裏面から突出する埋め込み螺合部とからなる溶接ベース金物の該埋め込み螺合部を螺合して、該溶接プレート部を前記ＡＬＣ壁パネルのパネル壁面に添わせ、
垂直の建物躯体に固定された定規アングルに掛合させた取付金具を、前記溶接プレート部に対し前記パネル壁面に添う方向に位置調整して溶接固定するＡＬＣ壁パネルの取付方法。
【００２１】
ここで、各要素の態様を例示する。
［埋設アンカー］
埋設アンカーは、補強鉄筋に緊結される台座部と、溶接ベース金物の埋め込み螺合部と螺合する螺合部とを備えていればよく、それ以上は特に限定されない。台座部は、１本の補強鉄筋に緊結されたものでもよいが、２本以上の補強鉄筋に緊結されたものが耐力性の点で好ましい。また、台座部の、ＡＬＣ壁パネルの前記とキーは反対側のパネル壁面からのかぶり（深さ）寸法が５ｍｍ以上であることが好ましい。螺合部は、雌ねじでも、雄ねじでもよい。
【００２２】
［溶接ベース金物］
溶接ベース金物の溶接プレート部の形状としては、特に限定されないが、円板、四角板等を例示できる。溶接プレート部の寸法としては、特に限定されないが、過小であると調整幅が狭くなり、過大であると重くなるだけで無駄なので、縦寸法は１００〜２００ｍｍであることが好ましく、横寸法はこれに溶接する稲妻プレート又は板状部材の横寸法よりも２０〜１００ｍｍ大きいことが好ましい。また、溶接プレート部の厚さは、６〜１２ｍｍが好ましい。これは、前記取付金具を溶接しても有害な歪が発生しにくい厚さとして、６ｍｍ以上が好ましく、さらにこれを１２ｍｍ超の厚さにしても、取付上の強度の向上は望めず、不経済になるためである。
溶接ベース金物の埋め込み螺合部は、雄ねじでも雌ねじでもよく、埋設アンカーが雌ねじのときは埋め込み螺合部を雄ねじとし、埋設アンカーが雄ねじのときは埋め込み螺合部を雌ねじとする。
溶接プレート部と埋め込み螺合部とは、一体形成されたものでもよいし、別体形成されたものが結合してなるものでもよい。
【００２３】
［ＡＬＣ壁パネルの座掘部］
ＡＬＣ壁パネルのパネル壁面に設けられた座掘部に溶接プレート部が収納されて、溶接プレート部の溶接面とＡＬＣ壁パネルのパネル壁面の一般部とが略同一面となっていることが好ましい。
【００２４】
［取付金具］
前記ａ１の取付金具，ｂ１の取付金具の形状や構造は、特に限定されず、以下に例示するものをすべて含む。
まず、前記ａ３の取付金具，ａ５の下層用取付金具，ｂ３の取付金具，ｂ５の下層用取付金具としては、平板状のプレートを例示することができる。
次に、前記ａ２の取付金具，ａ４の取付金具，ａ５の上層用取付金具，ａ６の下層用取付金具及び上層用取付金具，ａ７の取付金具，ｂ２の取付金具，ｂ４の取付金具，ｂ５，ｂ６，ｂ７の取付金具としては、次のものを例示することができる。
（ア）溶接プレート部の溶接面がＡＬＣ壁パネルのパネル壁面の一般部よりも出ている場合の取付金具の例示
・図１３（ａ）に示すような、平板状のプレート２４
・図１３（ｂ）に示すような、平面視でコ状に折曲された折曲プレート２５
（イ）溶接プレート部の溶接面とＡＬＣ壁パネルのパネル壁面の一般部とが略同一面となっている場合の取付金具の例示
・図１３（ｃ）に示すような、側面視で稲妻状に折曲された稲妻プレート２２
・図１３（ｄ）に示すような、取付板２６ａと、その上方部が延長されて形成されている突出片２６ｂと、取付板２６ａの両側縁が折り曲げられて形成されているリブ片２６ｃと、そのリブ片２６ｃがさらに下方に垂下して形成されている垂下リブ片２６ｄとから構成され、取付板２６ａの前面と垂下リブ片２６ｄの前端面との間に段差ができたリブ片付き取付金具２６
【発明の効果】
【００２５】
本発明のＡＬＣ壁パネルの取付構造によれば、アンカーの埋設位置やＡＬＣ壁パネルの取付位置に正規位置からのずれが生じた場合でも、該アンカーに接続される取付金具の、他の取付金具への掛かり代と溶接固定される部位とが十分に確保され、ＡＬＣ壁パネルを建物躯体に十分な強度で取り付けることができる。
【発明を実施するための最良の形態】
【００２６】
下層のＡＬＣ壁パネル１ｂのパネル上部の埋設アンカー８の螺合部１０に、溶接プレート部１６とその裏面から突出する埋め込み螺合部１７とからなる溶接ベース金物１５の該埋め込み螺合部１７が螺合して、該溶接プレート部１６がＡＬＣ壁パネル１ｂの室内側のパネル壁面２に添っている。そして、ＡＬＣ壁パネル１ｂが建て込まれ、その溶接プレート部１６に、建物躯体１１に固定された定規アングル１２の前面と該定規アングル１２に固定された自重受け部材１８の横片２０の後縁との間に上下スライド可能に掛入された板状部材２１が、位置調整されて溶接固定されている。
【００２７】
また、上層のＡＬＣ壁パネル１ａのパネル下部の埋設アンカー８の螺合部１０に、溶接プレート部１６とその裏面から突出する埋め込み螺合部１７とからなる溶接ベース金物１５の埋め込み螺合部１７が螺合して、該溶接プレート部１６がＡＬＣ壁パネル１ａの室内側のパネル壁面２に添っている。そして、前記自重受け部材１８の横片２０にＡＬＣ壁パネル１ａの下端小口面が載置され、かつ、前記定規アングル１２の縦片１４に稲妻プレート２２の下半部が掛合された状態で、上層の溶接プレート部１６に稲妻プレート２２の上半部が位置調整されて溶接固定されている。
【実施例１】
【００２８】
図１〜図７に示すとおり、実施例１は、上層（本例では上階）のＡＬＣ壁パネル１ａの下部と、下層（本例では下階）のＡＬＣ壁パネル１ｂの上部とを、両層間の建物躯体１１としての鉄骨梁に取り付ける構造に関するものである。
【００２９】
両ＡＬＣ壁パネル１ａ，１ｂは、室内側のパネル壁面２と室外側のパネル壁面３とが縦長の長方形をなす一般的なものであり、各ＡＬＣ壁パネル１ａ，１ｂには補強鉄筋４と該補強鉄筋４に緊結された埋設アンカー８とが埋設されている。補強鉄筋４は、長手方向に延びる主筋５と幅方向に延びる副筋６とを縦横に溶接してなる二枚の枠体を所定間隔をおいて並べ、両枠体にスペーサ７を架け渡して溶接することによりかご状に形成されたものである。
【００３０】
埋設アンカー８は、特に限定されず、例えば特開平１０−７２８７２号公報及び特開平１２−５４５０８号公報に記載された、補強鉄筋に緊結されるいずれの埋設アンカー（インサート金具）も使用することができる。
・図１、図３等に例示した埋設アンカー８は、４本の主筋５に溶接にて緊結された台座部９と、台座部９に溶接固定されたナットによる螺合部１０とからなるものである。
・図４（ａ）に例示した埋設アンカー８は、１本の副筋６に溶接にて緊結された台座部９と、台座部９に溶接固定されたナットによる螺合部１０とからなるものである。
・図４（ｂ）に例示した埋設アンカー８は、２本の主筋５に溶接にて緊結された台座部９と、台座部９に溶接固定されたナットによる螺合部１０とからなるものである。
但し、前記のとおり、２本以上の補強鉄筋４に緊結されたものが耐力性の点で好ましい。また、ＡＬＣ壁パネルのパネル壁面３から台座部９までのＡＬＣのかぶり（深さ）寸法は５ｍｍ以上である。
【００３１】
補強鉄筋４はパネル製造時のスラリーの流動により遊動するため、それに緊結された埋設アンカー８の埋設位置は（スラリー硬化後において）正規位置から例えば６ｍｍ以上ずれていることがある。
【００３２】
さて、水平に架設された建物躯体（本例では鉄骨梁）１１に対する両ＡＬＣ壁パネル１ａ，１ｂの取り付けには、前記埋設アンカー８のほかにも、次の取付金具が用いられている。
・溶接プレート部１６とその裏面から突出する埋め込み螺合部１７とからなる溶接ベース金物１５。
・建物躯体１１の上面前縁に横片１３において溶接され、建物躯体１１の上面前縁よりも縦片１４がはみ出した定規アングル１２。定規アングル１２は例えば６５ｍｍ×６５ｍｍのアングル材である。
・定規アングル１２の縦片１４の前面に左右に分かれた縦片１９において溶接されることで建物躯体１１に固定され、略水平の横片２０が前方へ延びた自重受け部材１８。
・建物躯体１１と自重受け部材１８の横片２０の後縁との間であって且つ左右の縦片１９の間に上下スライド可能に掛入された板状部材２１。板状部材２１の幅は例えば７５ｍｍ、上下長さは例えば１５０ｍｍである。
・定規アングル１２の縦片１４に掛止された状態で、溶接プレート部１６に溶接固定された稲妻プレート２２。稲妻プレート２２の幅は例えば７５ｍｍ、上下長さは例えば９５ｍｍである。なお、図示例の稲妻プレート２２には長孔を記載しているが、これは従来の長孔のある稲妻プレート（図１４、図１５）をそのまま使用したためであって、その長孔は本案では利用しない。よって、長孔の無い稲妻プレートでもよい。
【００３３】
溶接ベース金物１５は、直径１２０ｍｍ・厚さ６ｍｍの円板よりなる溶接プレート部１６と、雄ねじよりなる埋め込み螺合部１７とが一体形成されたものである。図３（ｂ）のように溶接プレート部１６と埋め込み螺合部１７とが別体形成されて結合されたものでもよい。そして、埋設アンカー８の螺合部１０に溶接ベース金物１５の埋め込み螺合部１７が螺合して、溶接プレート部１６がＡＬＣ壁パネル１のパネル壁面２に添っている。本例では、各ＡＬＣ壁パネル１ａ，１ｂのパネル壁面２に設けられた座掘部２３に溶接プレート部１６が収納されて（パネル壁面２の座掘部２３に）添っており、溶接プレート部１６の溶接面とパネル壁面２の一般部とが略同一面となっている。
【００３４】
下層のＡＬＣ壁パネル１ｂのパネル上部の埋設アンカー８の螺合部１０に、溶接ベース金物１５の埋め込み螺合部１７が螺合して、溶接プレート部１６がＡＬＣ壁パネル１ｂのパネル壁面に添っている。そして、ＡＬＣ壁パネルが建て込まれ（その下部の取付構造は前記上層のＡＬＣ壁パネル１ａと同様である）、その溶接プレート部１６に、定規アングル１２の前面と自重受け部材１８の横片２０の後縁との間に掛入された板状部材２１が位置調整されて溶接固定されている。
【００３５】
また、上層のＡＬＣ壁パネル１ａのパネル下部の埋設アンカー８の螺合部１０に、溶接ベース金物１５の埋め込み螺合部１７が螺合して、溶接プレート部１６がＡＬＣ壁パネル１ａのパネル壁面に添っている。そして、自重受け部材１８の横片２０にＡＬＣ壁パネル１ａの下端小口面が載置され、かつ、定規アングル１２の縦片１４に稲妻プレート２２の下半部が掛合された状態で、溶接プレート部１６に稲妻プレート２２の上半部が位置調整されて溶接固定されている。
【００３６】
両ＡＬＣ壁パネル１ａ，１ｂは建物躯体１１に対し次のような工程を含む方法により取り付けられる。なお、予め両ＡＬＣ壁パネル１ａ，１ｂには補強鉄筋４と該補強鉄筋４に緊結された埋設アンカー８とが埋設されており、前記のとおり、埋設アンカー８の埋設位置は正規位置から例えば６ｍｍ以上ずれていることがある。
【００３７】
（１）建物躯体１１としての鉄骨梁に定規アングル１２を溶接固定し、定規アングル１２に自重受け部材１８を溶接固定する。
【００３８】
（２）下層のＡＬＣ壁パネル１ｂの埋設アンカー８の螺合部１０に、溶接ベース金物１５の埋め込み螺合部１７を螺合して、溶接プレート部１６を下層のＡＬＣ壁パネル１ｂのパネル壁面２の座掘部２３に添わせる。
【００３９】
（３）下層のＡＬＣ壁パネル１ｂを建て込み、溶接プレート部１６に、定規アングル１２の前面と自重受け部材１８の横片２０の後縁との間に上下スライド可能に掛入した板状部材２１を、位置調整して溶接固定する。このとき、図７に示すように、埋設アンカー８の埋設位置が同図（ａ）の正規位置から同図（ｂ）のように下方向へ大きく（例えば６ｍｍ以上）ずれていると、溶接プレート部１６も共に下方向へ大きくずれる。埋設アンカー８の埋設位置のずれが６ｍｍ未満であっても、そのずれがＡＬＣ壁パネル１ｂの取付位置のずれと、同じ下方向に重なった場合には同様である。このような場合でも、図７（ｂ）のように、溶接プレート部１６には、板状部材２１を下方向へ同期してずらさなくても、板状部材２１との当接を外さないだけの大きさがあるため、溶接プレート部１６と板状部材２１とを溶接固定することができる。このため、板状部材２１の上部が定規アングル１２と自重受け部材１８の横片２０の後縁との間より上に突出している掛かり代ｂが、十分に確保される。
【００４０】
（４）上層のＡＬＣ壁パネル１ａの埋設アンカー８の螺合部１０に、溶接ベース金物１５の埋め込み螺合部１７を螺合して、溶接プレート部１６を上層のＡＬＣ壁パネル１ａのパネル壁面２の座掘部２３に添わせる。
【００４１】
（５）自重受け部材１８に上層のＡＬＣ壁パネル１ａの下端小口面を載置し、かつ、定規アングル１２に稲妻プレート２２の下半部を掛合した状態で、上層の溶接プレート部１６に稲妻プレート２２の上半部を位置調整して溶接固定する。このとき、図７に示すように、埋設アンカー８の埋設位置が同図（ａ）の正規位置から同図（ｂ）のように上方向へ大きく（例えば６ｍｍ以上）ずれていると、溶接プレート部１６も共に上方向へ大きくずれる。埋設アンカー８の埋設位置のずれが６ｍｍ未満であっても、そのずれがＡＬＣ壁パネル１ｂの取付位置のずれと、同じ上方向に重なった場合には同様である。このような場合でも、溶接プレート部１６には、稲妻プレート２２を上方向へ同期してずらさなくても、稲妻プレート２２との当接を外さないだけの大きさがあるため、溶接プレート部１６と稲妻プレート２２とを溶接固定することができる。このため、稲妻プレート２２の下半部が定規アングル１２の縦片１４に掛合する掛かり代ａが、十分に確保される。
【００４２】
上記（３）と（５）の順序は問わず、いずれを先に行ってもよい。また、（２）は（３）の前に行い、（４）は（５）の前に行うが、（２）と（４）の順序は問わない。
【００４３】
以上の実施例１によれば、埋設アンカー８の埋設位置やＡＬＣ壁パネル１ａ，１ｂの取付位置に正規位置からのずれが生じた場合でも、埋設アンカー８に溶接ベース金物１５を介して接続される稲妻プレート２２や板状部材２１の、他の取付金具（定規アングル１２や自重受け部材１８）に対する掛かり代と溶接固定される部位とが十分に確保され、ＡＬＣ壁パネル１ａ，１ｂを建物躯体１１に十分な強度で取り付けることができる。
【００４４】
また、ＡＬＣ壁パネル１ａ，１ｂに風圧等の外力が加わった場合、稲妻プレート２２や板状部材２１を回転させる方向の反力が発生するが、溶接プレート部１６の室内側のパネル壁面２との接点１６ａが支点となり、埋設アンカー８に加わる引抜き力を低減させることができ、建物躯体１１に取り付ける強度をさらに向上させることができる。
【実施例２】
【００４５】
実施例２として図８を例示し、図１の実施例１との相違点のみ説明する。溶接プレート部１６が上層のＡＬＣ壁パネル１ａのパネル壁面２に収納されずに添っており、稲妻プレートではなく、図１３（ａ）に示す平板状のプレート２４又は図１３（ｂ）に示す折曲プレート２５を用いて、定規アングル１２に掛合させた例である。
【実施例３】
【００４６】
実施例３として図９を例示し、図１等の実施例１との相違点のみ説明する。溶接プレート部１６が下層のＡＬＣ壁パネル１ｂのパネル壁面２に略面一に収納されて添っており、建物躯体１１の下面前縁に取付けられた定規アングル１２に、図１３（ｃ）に示す稲妻プレート２２又は図１３（ｄ）に示すリブ片付き取付金具２６を掛合させた例である。
【実施例４】
【００４７】
実施例４として図１０を例示し、図１等の実施例１との相違点のみ説明する。溶接プレート部１６が下層のＡＬＣ壁パネル１ｂのパネル壁面２に収納されずに添っており、建物躯体１１の下面前縁に取付けられた定規アングル１２に、図１３（ａ）に示す平板状のプレート２４又は図１３（ｂ）に示す折曲プレート２５を掛合させた例である。
【実施例５】
【００４８】
実施例３を横張りにした壁に応用して実施した実施例５を、図１１の平面図で説明する。本例は、ＡＬＣ壁パネル１ｃ、１ｄがパネルの長辺を水平に建て込まれるもので、左右のＡＬＣ壁パネル１ｃ、１ｄに埋設された補強鉄筋にはパネルの短辺に近いパネル側部の埋設アンカーが緊結され、該埋設アンカーに溶接ベース金物１５の埋め込み螺合部が螺合して、溶接プレート部１６がＡＬＣ壁パネル１ｃ、１ｄのパネル壁面２に略面一に収納されて添っている。また、取付先である建物躯体１１は垂直に設けられた鉄骨柱であり、該建物躯体１１の両側の縁に取付けられた定規アングル１２に、図１３（ｃ）に示す稲妻プレート２２又は図１３（ｄ）に示すリブ片付き取付金具２６を掛合させ、該稲妻プレート２２等が溶接プレート部１６に対しパネル壁面に添う方向に位置調整されて溶接固定されている。
【実施例６】
【００４９】
実施例６として図１２を例示し、図１１の実施例５との相違点のみ説明する。溶接プレート部１６が左右各々のＡＬＣ壁パネル１ｃ、１ｄのパネル壁面２に収納されずに添っており、建物躯体１１の両側の縁に取付けられた定規アングル１２に、図１３（ａ）に示す平板状のプレート２４又は図１３（ｂ）に示す折曲プレート２５を掛合させた例である。
【００５０】
なお、本発明は前記実施例に限定されるものではなく、発明の趣旨から逸脱しない範囲で適宜変更して具体化することもできる。
【図面の簡単な説明】
【００５１】
【図１】本発明の実施例１のＡＬＣ壁パネルの取付構造を示す側面図である。
【図２】同取付構造の分解斜視図である。
【図３】同取付構造の埋設アンカー、溶接ベース金物等を示す斜視図である。
【図４】同埋設アンカーの別例を示す斜視図である。
【図５】同溶接ベース金物に対する稲妻プレート及び板状部材の対応関係を示す斜視図である。
【図６】同溶接ベース金物に対し稲妻プレート及び板状部材を溶接固定したときの斜視図である。
【図７】同稲妻プレート及び板状部材と定規アングル等との位置関係を示す背面図である。
【図８】本発明の実施例２を示す側面図である。
【図９】本発明の実施例３を示す側面図である。
【図１０】本発明の実施例４を示す側面図である。
【図１１】本発明の実施例５を示す平面図である。
【図１２】本発明の実施例６を示す平面図である。
【図１３】本発明の取付金具の例を示す斜視図である。
【図１４】従来例のＡＬＣ壁パネルの取付構造を示す斜視図である。
【図１５】同従来例の稲妻プレート及び板状部材と定規アングル等との位置関係を示す背面図である。
【符号の説明】
【００５２】
１ａ  ＡＬＣ壁パネル（上層）
１ｂ  ＡＬＣ壁パネル（下層）
１ｃ  ＡＬＣ壁パネル（左）
１ｄ  ＡＬＣ壁パネル（右）
２    パネル壁面（室内側）
３    パネル壁面（室外側）
４    補強鉄筋
８    埋設アンカー
９    台座部
１０    螺合部
１１    建物躯体
１２    定規アングル
１５    溶接ベース金物
１６    溶接プレート部
１７    埋め込み螺合部
１８    自重受け部材
２１    板状部材
２２    稲妻プレート
２３    座掘部
２４    平板状のプレート
２５    折曲プレート
２６    リブ片付き取付金具
【図１】
2007247220.tif 000003
【図２】
2007247220.tif 000004
【図３】
2007247220.tif 000005
【図４】
2007247220.tif 000006
【図５】
2007247220.tif 000007
【図６】
2007247220.tif 000008
【図７】
2007247220.tif 000009
【図８】
2007247220.tif 000010
【図９】
2007247220.tif 000011
【図１０】
2007247220.tif 000012
【図１１】
2007247220.tif 000013
【図１２】
2007247220.tif 000014
【図１３】
2007247220.tif 000015
【図１４】
2007247220.tif 000016
【図１５】
2007247220.tif 000017